(57)【要約】  タイヤ切断装置３０は、支持構造へ取り付けるための取付構造３４を画成する本体部材３２を備えている。切断アセンブリ４６は本体部材３２に支持される。切断アセンブリ４６はタイヤを切断するための制御部材５２および切断ユニット５３を備える。制御部材５２は本体部材３２に対する切断ユニット５３の位置の変化をもたらす。
2009528181.tif 000002
【特許請求の範囲】
【請求項１】
タイヤ切断装置であって、
支持構造に取り付けるための取付構造を画成する本体部材と、
前記本体部材によって支持され、タイヤを切断するための制御部材と切断ユニットとを備え、制御部材が本体部材に対する切断ユニットの位置の変化をもたらすものである、切断アセンブリと、
を備えたタイヤ切断装置。
【請求項２】
前記本体部材が切断アセンブリを受承するブラケットを備える請求項１に記載の装置。
【請求項３】
ブラケットが前記本体部材の取付構造に対して調整可能に配置されている請求項２に記載の装置。
【請求項４】
前記切断アセンブリが前記ブラケットにより受承されるシャフトを備え、該シャフトは前記ブラケットに対して軸方向および回転方向に変位可能に配置されている請求項１または請求項２に記載の装置。
【請求項５】
前記制御部材が前記シャフトの第１端部付近に配置され、前記切断ユニットが前記シャフトの第２端部付近に配置されている請求項４に記載の装置。
【請求項６】
前記シャフトの前記第２端部が、切断されるタイヤに対して所望位置に切断ユニットを配置するための基準点を提供する請求項５に記載の装置。
【請求項７】
前記切断ユニットがブレードキャリアと、該キャリアによって担持される少なくとも１つのブレードとを備え、該ブレードはシャフトの長手方向軸に対して直角な平面内に存在する請求項４〜６のいずれかに記載の装置。
【請求項８】
前記制御部材が前記シャフトに対して直角に延びる制御ハンドルを備える請求項４〜７のいずれかに記載の装置。
【請求項９】
切断されるタイヤを保持するためのホルダを備える請求項１〜８のいずれかに記載の装置。
【請求項１０】
前記ホルダは支持部材と、支持部材上に配置された規制装置とを備える請求項９に記載の装置。
【請求項１１】
前記支持部材が、前記タイヤをほぼ水平方向に支持するためのほぼ平面の構造を有する請求項１０に記載の装置。
【請求項１２】
前記ホルダと前記切断ユニットは、タイヤの少なくとも１つの側壁の切断および除去をもたらすよう互いに対して回転可能である請求項９〜１１のいずれかに記載の装置。
【請求項１３】
タイヤ切断装置の付属装置であって、
前記タイヤ切断装置によって切断されるタイヤを支持するためのホルダと、
ホルダに対するタイヤの回転を規制するために前記ホルダ上に配置された規制装置と、を備えた付属装置。
【請求項１４】
前記ホルダは前記タイヤをほぼ水平方向に支持するためのほぼ平面の構造を有する請求項１３に記載の付属装置。
【請求項１５】
前記ホルダと前記タイヤ切断装置の切断ユニットが、タイヤの少なくとも１つの側壁の切断および除去をもたらすよう互いに対して回転可能である請求項１３または請求項１４に記載の付属装置。
【請求項１６】
請求項１〜８のいずれかに記載のタイヤ切断装置を備えたタイヤ処分機。
【請求項１７】
請求項１３〜１５のいずれかに記載の付属装置をさらに備えた請求項１６に記載のタイヤ処分機。
【請求項１８】
請求項１〜８のいずれかに記載のタイヤ切断装置を備えたタイヤ交換機。
【請求項１９】
前記本体部材が前記タイヤ交換機のツールアームに取り付けられている請求項１８に記載のタイヤ交換機。
【請求項２０】
前記本体部材が前記ツールアームに取外し可能に取り付けられている請求項１９に記載のタイヤ交換機。
【請求項２１】
前記本体部材がツールアームの端を受承する受承ソケットを形成する請求項２０に記載のタイヤ交換機。
【請求項２２】
前記本体部材がツールアームの周囲を固定するためのクランプ装置を備える請求項２０に記載のタイヤ交換機。
【請求項２３】
請求項１３〜１５のいずれかに記載の付属装置を備えた請求項１８〜２２のいずれかに記載のタイヤ交換機。
【請求項２４】
前記付属装置がタイヤ交換機のターンテーブルに取り付けられている請求項２３に記載のタイヤ交換機。
【請求項２５】
前記付属装置がタイヤ交換機のターンテーブルに取外し可能に取り付けられている請求項２３に記載のタイヤ交換機。
【請求項２６】
タイヤを処分する方法であって、
タイヤをほぼ水平方向に取り付けること、
切断ツールを備えた切断ユニットを、タイヤと並置すること、
タイヤのトレッドパーツ付近の領域でタイヤの少なくとも一つの側壁に切断ツールを駆動すること、および
タイヤと切断ツールの間の相対回転により、前記少なくとも一つの側壁を前記タイヤのトレッドパーツから分離させること、
からなる方法。
【請求項２７】
切断ユニットの少なくとも切断ツールを前記タイヤの空洞部内に配置し、前記タイヤをタイヤの内部から切断することを含む請求項２６に記載の方法。
【請求項２８】
タイヤを支持部材に取り付け、該支持部材に対するタイヤの回転を規制することを含む請求項２６または請求項２７に記載の方法。
【請求項２９】
切断ユニットに対して前記支持部材を回転させることを含む請求項２８に記載の方法。
【請求項３０】
タイヤ交換機がホイールリム上のタイヤを交換するために使用されていない場合の、タイヤ交換機の作動方法であって、
タイヤ交換機に切断ツールを取り付けること、
処分されるタイヤをタイヤ交換機のターンテーブル上に配置すること、および
切断ツールを使用してタイヤの側壁を除去すると共にタイヤのトレッドパーツを残すこと、
からなる方法。
【請求項３１】
前記切断ツールを前記タイヤの空洞部内に配置し、前記タイヤをタイヤの内部から切断することを含む請求項３０に記載の方法。
【請求項３２】
タイヤを支持部材に取り付け、該支持部材に対するタイヤの回転を規制することを含む請求項３０または請求項３１に記載の方法。
【請求項３３】
切断ユニットに対して前記支持部材を回転させることを含む請求項３２に記載の方法。
【請求項３４】
タイヤ交換機がホイールリム上のタイヤを交換するために使用されていない場合の、タイヤ交換機の作動方法であって、
タイヤ交換機に切断ツールを取り付けること、
処分されるタイヤをタイヤ交換機のターンテーブル上に配置すること、
切断ツールを使用してタイヤの側壁を除去すると共にタイヤのトレッドパーツを残すこと、および
タイヤのトレッドパーツを減少された体積を占める形式に圧縮すること、
からなる方法。
【請求項３５】
ターンテーブル上にタイヤを配置する前に、ターンテーブルに対する回転からタイヤを保持するためにタイヤ交換機のターンテーブル上にホルダを配置することを含む請求項３４に記載の方法。
【請求項３６】
スピンドル装置の周囲にタイヤのトレッドパーツを巻き付けることにより、タイヤのトレッドパーツを圧縮することを含む請求項３４または請求項３５に記載の方法。
【請求項３７】
タイヤの側壁の除去後に、タイヤ交換機のターンテーブル上に、スピンドル装置を備えたキャリアを取り付けることを含む請求項３６に記載の方法。
【請求項３８】
タイヤのトレッドパーツを圧縮した後、トレッドパーツをその圧縮形式で保持することを含む請求項３４〜３７のいずれかに記載の方法。
【請求項３９】
保持要素によってトレッドパーツをその圧縮形式で保持することを含む請求項３８に記載の方法。
【請求項４０】
タイヤを処分する方法であって、
タイヤを異なる材料を有する複数の部品に分けること、
前記複数の部品のうちの少なくとも１つを減少された体積を占めるよう圧縮すること、および
前記複数の部品を別々に処分すること、
からなる方法。
【請求項４１】
鋼を含むタイヤの一部品を鋼を含まないタイヤの別の部品から分離することを含む請求項４０に記載の方法。
【請求項４２】
タイヤを処分する方法であって、
タイヤを多くの異なる部品に分けること、および
前記多くの異なる部品の少なくとも１つを減少された体積を占めるよう圧縮すること、からなる方法。
【請求項４３】
タイヤを処分するためのキットであって、
巻付装置を担持するキャリアと、
巻付装置上でのタイヤの一部品の巻き付けを支援するレバーアーム、および
タイヤのトレッドパーツからタイヤの側壁部分を切断する切断ツール
を含むキット。
【請求項４４】
タイヤが切断ツールによって切断されている時にタイヤを保持するホルダを備える請求項４３に記載のキット。
【請求項４５】
タイヤを加工する方法であって、
タイヤ交換が通常行われる第１の位置から、複数のタイヤの各々からの分離された側壁およびトレッドパーツを収集することであって、前記側壁および前記トレッドパーツは、側壁の収集物とトレッドパーツの収集物に別々に蓄積されること、および
第１の位置から側壁の収集物と、トレッドパーツの収集物とを除去し、それら収集物を第１の位置から離れた少なくとも１つの追加位置へ輸送すること、
からなる方法。
【請求項４６】
少なくとも１つの追加位置で少なくとも側壁の収集物を加工することを含む請求項４５に記載の方法。
【請求項４７】
前記少なくとも１つの追加位置と異なる位置とのうちの一方の位置で、トレッドパーツの収集物を加工することを含む請求項４５または請求項４６に記載の方法。
【請求項４８】
タイヤのトレッドパーツから側壁を除去するように、改変されたタイヤ交換機で分離を行うことを含む請求項４５〜４７のいずれかに記載の方法。
【請求項４９】
異なる貯蔵施設で側壁の収集物とトレッドパーツの収集物を保管することを含む請求項４５〜４８のいずれかに記載の方法。
【請求項５０】
側壁の収集物とトレッドパーツの収集物を別々に除去することを含む請求項４５〜４９のいずれかに記載の方法。
【請求項５１】
タイヤを加工する方法であって、
タイヤ交換が通常行われる第１の位置から、複数のタイヤの各々からの分離された側壁およびトレッドパーツを収集することであって、前記側壁および前記トレッドパーツは、側壁の収集物とトレッドパーツの収集物に別々に蓄積されること、
第１の位置から側壁の収集物とトレッドパーツの収集物とを除去し、それら収集物を第１の位置から離れた少なくとも１つの追加位置へ輸送すること、
少なくとも１つの追加位置で、第１の所望の使用のために少なくとも前記側壁の収集物を加工すること、
少なくとも１つの追加位置と異なる位置とのうちの一方の位置で、第２の所望の使用のためにトレッドパーツの収集物を加工すること、
からなる方法。
【発明の詳細な説明】
【技術分野】
【０００１】
本発明は、包括的にはタイヤの処分に関し、より詳細にはタイヤを処分する装置および方法に関する。
【背景技術】
【０００２】
本願は、２００６年２月２７日出願のニュージーランド国仮特許出願第５４５５８５号、２００６年２月２７日出願のニュージーランド国仮特許出願第５４５５８７号、２００６年１０月２４日出願のニュージーランド国仮特許出願第５５０７４３号および２００６年１１月１３日出願のニュージーランド国仮特許出願第５５１２６１号からの優先権を主張し、上記すべての特許出願の内容は参照により本明細書に組み込まれる。
【０００３】
使用可能な耐用期間の終わりに到着したタイヤや不良品のタイヤは、処分する必要がある。タイヤに関する主な問題は、それらが大量のスペースを占め、生分解性でないということである。このためタイヤは保管、輸送、および処分することが困難となっている。
【０００４】
タイヤの処分方法や処分場所についての条件を課すことは地方自治体にとってますます一般的な事項になっている。いくつかの議会は埋め立て地でのタイヤの廃棄に対して規制を課している。
【０００５】
タイヤの形状がかさばっているためにタイヤを切断する必要がある場合、輸送費が高いので、これはタイヤを切断することによりタイヤを加工する団体が得ることができる商業的利益を低減させる。
【０００６】
タイヤ交換施設は、一般に、タイヤを処分できる加工する装置を備えておらず、これらのタイヤ交換施設はタイヤ交換機を広範囲に利用している。タイヤ交換機は高価であり、ホイールリム上のタイヤを交換するために使用されない時には稼働していない。代わりに、タイヤ交換施設にタイヤ処分機を備え、タイヤ交換施設での効率を改善することによりタイヤ交換機とタイヤ処分機が連携して使用されれば、商業的利益となるだろう。
（発明の開示）
本発明の第１態様によれば、タイヤ切断装置であって、
支持構造に取り付けるための取付構造を画成する本体部材と、
前記本体部材によって支持され、タイヤを切断するための制御部材と切断ユニットとを備え、制御部材が本体部材に対する切断ユニットの位置の変化をもたらすものである、切断アセンブリと、
を備えたタイヤ切断装置が提供される。
【０００７】
本体部材は切断アセンブリを受承するブラケットを備えもよい。ブラケットは本体部材の取付構造に対して調整可能に配置されてもよい。
切断アセンブリはブラケットにより受承されるシャフトを備え、該シャフトはブラケットに対して軸方向および回転方向に変位可能に配置されてもよい。制御部材はシャフトの第１端部付近に配置され、切断ユニットがシャフトの第２端部付近に配置されてもよい。好ましくは、シャフトの第２端部は、切断されるタイヤに対して所望位置に切断ユニットを配置するための基準点を提供する。
【０００８】
切断ユニットはブレードキャリアと、該キャリアによって担持される少なくとも１つのブレードとを備え、該ブレードはシャフトの長手方向軸に対して直角な平面内に存在してよい。
【０００９】
制御部材はシャフトに対して直角に延びる制御ハンドルを備えてもよい。
タイヤ切断装置は切断されるタイヤを保持するためのホルダを備えてもよい。ホルダは支持部材と、支持部材上に配置された規制装置とを備えてもよい。支持部材は、タイヤをほぼ水平方向に支持するためのほぼ平面の構造を有し得る。
【００１０】
ホルダと切断ユニットは、タイヤの少なくとも１つの側壁の切断および除去をもたらすよう互いに対して回転可能であってよい。
本発明の第２態様によれば、タイヤ切断装置の付属装置であって、
タイヤ切断装置によって切断されるタイヤを支持するためのホルダと、
ホルダに対するタイヤの回転を規制するためにホルダ上に配置された規制装置と、
を備えた付属装置が提供される。
【００１１】
ホルダはタイヤをほぼ水平方向に支持するためのほぼ平面の構造を有し得る。
ホルダとタイヤ切断装置の切断ユニットは、タイヤの少なくとも１つの側壁の切断および除去をもたらすよう互いに対して回転可能であってよい。
【００１２】
本発明の第３態様によれば、上述のタイヤ切断装置を備えたタイヤ処分機が提供される。タイヤ処分機は上述の付属装置をさらに備えてもよい。
本発明の第４態様によれば、上述のタイヤ切断装置を備えたタイヤ交換機が提供される。
【００１３】
本体部材はタイヤ交換機のツールアームに取り付けられてもよい。本体部材はツールアームに取外し可能に取り付けられてもよい。
１実施形態では、本体部材がツールアームの端を受承する受承ソケットを形成する。別の実施形態では、本体部材がツールアームの周囲を固定するためのクランプ装置を備える。
【００１４】
タイヤ交換機は上述の付属装置も備え得る。付属装置は、タイヤ交換機のターンテーブルに、好ましくは取外し可能に取り付けられている。
本発明の第５態様によれば、タイヤを処分する方法であって、
タイヤをほぼ水平方向に取り付けること、
切断ツールを備えた切断ユニットを、タイヤと並置すること、
タイヤのトレッドパーツ付近の領域でタイヤの少なくとも一つの側壁に切断ツールを駆動すること、および
タイヤと切断ツールの間の相対回転により、少なくとも一つの側壁をタイヤのトレッドパーツから分離させること、からなる方法が提供される。
【００１５】
方法は、切断ユニットの少なくとも切断ツールをタイヤの空洞部内に配置し、タイヤをタイヤの内部から切断することを含んでもよい。
さらに、方法は、タイヤを支持部材に取り付け、該支持部材に対するタイヤの回転を規制することを含んでもよい。方法は切断ユニットに対して支持部材を回転させることを含んでもよい。
【００１６】
本発明の第６態様によれば、タイヤ交換機がホイールリム上のタイヤを交換するために使用されていない場合の、タイヤ交換機の作動方法であって、
タイヤ交換機に切断ツールを取り付けること、
処分されるタイヤをタイヤ交換機のターンテーブル上に配置すること、および
切断ツールを使用してタイヤの側壁を除去すると共にタイヤのトレッドパーツを残すこと、
からなる方法が提供される。
【００１７】
方法は、切断ツールをタイヤの空洞部内に配置し、タイヤをタイヤの内部から切断することを含んでもよい。
さらに、方法は、タイヤを支持部材に取り付け、該支持部材に対するタイヤの回転を規制することを含んでもよい。方法は切断ユニットに対して支持部材を回転させることを含んでもよい。
【００１８】
本発明の第７態様によれば、タイヤ交換機がホイールリム上のタイヤを交換するために使用されていない場合の、タイヤ交換機の作動方法であって、
タイヤ交換機に切断ツールを取り付けること、
処分されるタイヤをタイヤ交換機のターンテーブル上に配置すること、
切断ツールを使用してタイヤの側壁を除去すると共にタイヤのトレッドパーツを残すこと、および
タイヤのトレッドパーツを減少された体積を占める形式に圧縮すること、
からなる方法が提供される。
【００１９】
方法は、ターンテーブル上にタイヤを配置する前に、ターンテーブルに対する回転からタイヤを保持するためにタイヤ交換機のターンテーブル上にホルダを配置することを含んでもよい。
【００２０】
方法は、スピンドル装置の周囲にタイヤのトレッドパーツを巻き付けることにより、タイヤのトレッドパーツを圧縮することを含んでもよい。
方法は、タイヤの側壁の除去後に、タイヤ交換機のターンテーブル上に、スピンドル装置を備えたキャリアを取り付けることを含んでもよい。
【００２１】
さらに、方法は、タイヤのトレッドパーツを圧縮した後、トレッドパーツをその圧縮形式で保持することを含んでもよい。好ましくは、方法は保持要素によってトレッドパーツをその圧縮形式で保持することを含む。
【００２２】
本発明の第８態様によれば、タイヤを処分する方法であって、
タイヤを異なる材料を有する複数の部品に分けること、
複数の部品のうちの少なくとも１つを減少された体積を占めるよう圧縮すること、および
複数の部品を別々に処分すること、
からなる方法が提供される。
【００２３】
方法は、鋼を含むタイヤの一部品を鋼を含まないタイヤの別の部品から分離することを含んでもよい。
本発明の第９態様によれば、タイヤを処分する方法であって、
タイヤを多くの異なる部品に分けること、および
多くの異なる部品の少なくとも１つを減少された体積を占めるよう圧縮すること、
からなる方法が提供される。
【００２４】
本発明の第１０態様によれば、タイヤを処分するためのキットであって、
巻付装置を担持するキャリアと、
巻付装置上でのタイヤの一部品の巻き付けを支援するレバーアーム、および
タイヤのトレッドパーツからタイヤの側壁部分を切断する切断ツール
を含むキットが提供される。
【００２５】
キットはタイヤが切断ツールによって切断されている時にタイヤを保持するホルダを備えてもよい。
本発明の第１１態様によれば、タイヤを加工する方法であって、
タイヤ交換が通常行われる第１の位置から、複数のタイヤの各々からの分離された側壁およびトレッドパーツを収集することであって、側壁およびトレッドパーツは、側壁の収集物とトレッドパーツの収集物に別々に蓄積されること、および
第１の位置から側壁の収集物と、トレッドパーツの収集物とを除去し、それら収集物を第１の位置から離れた少なくとも１つの追加位置へ輸送すること、
からなる方法が提供される。
【００２６】
方法は、少なくとも１つの追加位置で少なくとも側壁の収集物を加工することを含んでもよい。
方法は、少なくとも１つの追加位置と異なる位置とのうちの一方の位置で、トレッドパーツの収集物を加工することを含んでもよい。
【００２７】
方法は、タイヤのトレッドパーツから側壁を除去するように、改変されたタイヤ交換機で分離を行うことを含んでもよい。
方法は、異なる貯蔵施設で側壁の収集物とトレッドパーツの収集物を保管することを含んでもよい。
【００２８】
さらに方法は、側壁の収集物とトレッドパーツの収集物を別々に除去することを含んでもよい。
本発明の第１２態様によれば、タイヤを加工する方法であって、
タイヤ交換が通常行われる第１の位置から、複数のタイヤの各々からの分離された側壁およびトレッドパーツを収集することであって、側壁およびトレッドパーツは、側壁の収集物とトレッドパーツの収集物に別々に蓄積されること、
第１の位置から側壁の収集物とトレッドパーツの収集物とを除去し、それら収集物を第１の位置から離れた少なくとも１つの追加位置へ輸送すること、
少なくとも１つの追加位置で、第１の所望の使用のために少なくとも側壁の収集物を加工すること、
少なくとも１つの追加位置と異なる位置とのうちの一方の位置で、第２の所望の使用のためにトレッドパーツの収集物を加工すること、
からなる方法が提供される。
【００２９】
側壁の収集物とトレッドパーツの収集物の所望の用途は、側壁およびトレッドパーツの構成材料をできるだけ多く再生するための側壁およびトレッドパーツのリサイクルであり得る。
【発明を実施するための最良の形態】
【００３０】
本発明の実施形態を、添付の略図を参照しながら例示により説明する。
図面の図１において、参照数字１０は、従来のタイヤ交換機を包括的に示している。タイヤ交換機１０は駆動モータと制御回路（図示しない）を収容するハウジング１２を備えている。ハウジング１２の上部にはターンテーブル１４が回転可能により取り付けられ、ターンテーブル１４は駆動モータのうちの１つによって回転可能に駆動される。
【００３１】
ターンテーブル１４は、ターンテーブル１４にホイールアセンブリ（図示しない）を固定するための複数の直交方向および径方向に変位可能なクランプ１６を備えている。これについて、タイヤ交換機１０はホイールアセンブリ上でタイヤを交換するために使用され、クランプ１６は、タイヤをホイールアセンブリから取り外し、新たなタイヤの嵌合を可能にすべくホイールアセンブリのリムを把持するために、径方向に調節される。ターンテ
ーブル１４の回転およびクランプ１６の動きを促進するために、タイヤ交換機１０は複数の、足で操作するペダル１８を備えている。タイヤ交換機１０のいくつかのバージョンでは、一定の操作が手動で制御されてもよいし、またはペダル１８の代わりに手で操作するスイッチで制御されてもよい。
【００３２】
支持アーム２０はハウジング１２から上方に突出し、ハウジング１２の後部に配置されている。支持アーム２０はハウジング１２に向かってまたはハウジング１２から離れて旋回する。支持アーム２０はツールシャフト２２を支持する。取外し可能なタイヤ交換ツール２４が支持アーム２２の自由端に備えられ、ホイールリムとタイヤビードとの間のシールを壊してホイールリムからのタイヤの取外しを促進するために使用される。ツール２４は、ビードがホイールリムの外側に存在するようにホイールリムの上にビードを引くためにも使用される。
【００３３】
第１実施形態では、タイヤ交換機１０は使用済みタイヤまたは廃棄タイヤの処分を促進するために改変され、そのうちの１つが図面の図７に符号２６で示される。「処分」とは、タイヤが破壊されることを意味し、タイヤを破壊する際に、タイヤ２６は異なる構成材料を有する部品（パーツ）に切断される。「構成材料」とは、タイヤの部品を構成する材料を意味する。例えば、最近のタイヤのほとんどは鋼で強化したトレッドパーツを有する一方、タイヤの側壁には鋼製の補強材を有しない。したがって、トレッドパーツの構成材料は、通常バンドかメッシュの形をした鋼製の補強材を備える一方、側壁はより柔軟なエラストマー化合物等から形成される。
【００３４】
タイヤの処分では、本発明の実施形態によるタイヤ切断装置３０が、タイヤ交換機１０に装着される。より詳細には、図面の図２に示されるように、タイヤ切断装置３０が、タイヤ交換機１０のツール２４の除去後にタイヤ交換機１０のツールシャフト２２に取り付けられる。
【００３５】
装置３０は、ツールシャフト２２に取り付けるための取付構造３４を画成する本体部材３２を含む。図面の図３に例証された実施形態では、取付構造３４は、本体部材３２によって形成されたソケットの形をしている。ツールシャフト２２の自由端への本体部材３２の固定を促進するために、本体部材３２の壁にロックねじ３６が配置される。
【００３６】
本体部材３２は、本体部材３２に対する切断ブレード４４の角度位置を調整する調整機構４２を提供するために下側の第２の支持プレート４０に対して旋回可能に配置された第１の支持プレート３８を備えている。
【００３７】
装置３０は切断ブレード４４を組込んだ切断アセンブリ４６をさらに備えている。切断アセンブリ４６は、本体部材３２、および、より詳細にはプレート４０から吊り下げられた本体部材のブラケット４８に支持される。切断アセンブリ４６のシャフト５０は、それぞれ矢印ＡおよびＢで示されるように、ブラケット４８に対して軸方向および回転方向に変位可能に配置されている。
【００３８】
制御ハンドル５２の形をした制御部材が、シャフト５０の第１端部付近に配置され、切断ユニット５３は、シャフト５０の第２端部５４付近に第２端部５４の内方に配置された切断ブレード４４を組み込んでいる。
【００３９】
切断ユニット５３は、切断アセンブリ４６のシャフト５０の第２端部５４の内方に配置されたブレードキャリア５６を備えている。切断ブレード４４はブレードキャリア５６によって担持されている。
【００４０】
調整機構４２は、プレート３８および４０の互いに対する位置と、その際に、タイヤ交換機１０のツールシャフト２２に対する制御ハンドル５２と切断ユニット５３の角変位とを調節する調整ねじ５８を備える。
【００４１】
切断ユニット５３は単一の切断ブレード４４で示されているが、ある状況では、タイヤのトレッドパーツからの両側壁の分離を容易にするために２つの対向する切断ブレード４４を有することも可能である。さらに、切断ユニット５３は、移動可能な（例えば回転可能な）切断ブレードを備え得る。さらに切断ユニット５３は、レーザーカッタ、超音波カッタまたはその同等物等のエネルギーに基づく切断ユニットとして実施され得る。
【００４２】
図面の図８を参照すると、装置３０の別の実施形態が示される。図面の図３に関連して、別段の定めがない限り、同様な参照数字は同様な部品のことを指す。
この実施形態では、ソケットの形式である取付構造３４の代わりに、取付構造３４はクランプ装置６０を備える。この構成では、ツールシャフト２２からツール２４を取り外すことは必要ではない場合がある。むしろ、タイヤ交換ツール２４の周囲に装置３０が取り付けられる。
【００４３】
クランプ装置６０はクランププレート６２と、本体部材３２のアーム６６によって担持された対向するバックプレート６４とを備えている。この実施形態では、本体部材３２は、プレート３８がアーム６６から直角に延びたアーム６６を有するほぼＬ字形の要素である。
【００４４】
クランプ６０は、一対の調整可能なクランプねじ６８によって、バックプレート６４に対して離間した関係に保持される。各クランプねじ６８の第１端部７０は、クランププレート６２に蝶番式に取り付けられる。各ねじ６８の自由端にはギザギザが付けられたサムホイール７２が担持されている。各ねじ６８のシャンクは、本体部材３２のアーム６６に画成されたスロット７４に受承され、サムホイール７２の調節により、ねじ６８のシャンクがそれぞれのスロット７４内にある間、シャフト２２へ装置３０を固定するために、クランプ装置６０はツールシャフト２２の周囲で固定される。
【００４５】
装置３０は、さらに本発明の実施形態による支持部材すなわちホルダ８０と共に使用される。ホルダ８０はプレート８２の上部表面８６に規制装置８４を備えたほぼ円形の平面プレート８２である。
【００４６】
規制装置８４は円周方向に離間した複数のグループに配置された複数の径方向に離間した角度をなしたスパイク８８である。スパイク８８のうちの１つを図面の図６により詳しく示す。スパイク８８がプレート８２に対して角度をなして突出していることに留意する。スパイク８８は、例証されるように符号９０の位置でプレート８２にスポット溶接されている。
【００４７】
規制配置を複数のスパイク８８であるものに関して説明したが、プレート８２上のタイヤ２６の回転を抑制するためにプレート８０に対して任意の適切な規制装置を用いることが可能である。例えば、規制装置は、ホルダ８０上の締め付け金具（jaw）として、ホル
ダ８０上の円周方向保持ブラケットとして、またはその同等物として実施可能である。
【００４８】
プレート８２の下面９４には取付装置９２（図５）が配置される。取付装置９２は、図面の図２に符号９６で概略的に例証されるように、タイヤ交換機１０のターンテーブル１４上でホルダ１８を固定するために、タイヤ交換機１０のクランプ１６と協動する。
【００４９】
使用の際、装置３０は、タイヤ交換機１０のツールシャフト２２に取り付けられる。ホ
ルダ８０は取付装置９２を介してタイヤ交換機１０のターンテーブル１４に取り付けられる。
【００５０】
図面の図７により明白に示されるように、処分されるタイヤ２６はホルダ８０に取り付けられる。プレート８２の表面８６から突出したスパイク８８は、ホルダ８０に対するタイヤ２６の回転を抑制する。
【００５１】
タイヤ２６は、開口部１０２を備えたタイヤ空洞部１００を一緒になって画成するトレッドパーツ９４、第１の側壁部分９６および対向する第２の側壁部分９８を有する。
使用の際、一旦タイヤ２６がホルダ８０上に配置されると、装置３０は機械１０のツールシャフト２２によって下降され、切断アセンブリ４６が上部開口部１０２を介してタイヤ空洞部１００の内に受承される。切断アセンブリ４６は制御ハンドル５２を使用して操作され、シャフト５０の端５４がタイヤ２６のトレッドパーツ９４の内表面１０４と軽く当接するようにされる。一旦シャフト５０の端５４がそのように配置されればそれは基準点を形成するため、機械１０のオペレータは、トレッドパーツ９４からの下部側壁９６の除去を達成するために図面の図７の参照数字１０６により例証されるような必要な位置に切断ブレード４４が正確に配置されていることを知る。
【００５２】
装置３０はさらに下降され、その結果、切断ブレード４４が側壁９６に対して切断位置にもたらされる。機械１０のターンテーブル１４は適切な足踏みペダル１８によって操作され、切断アセンブリ４６に対するターンテーブル１４の回転によって、側壁９６の切断およびタイヤ２６のトレッドパーツ９４からの側壁９６の分離が促進される。
【００５３】
一旦低い側壁９６がトレッドパーツ９４から分離されると、タイヤ２６のタイヤ残骸の残りの部分はひっくり返され、その結果、第２の側壁９８がホルダ８０の上に着座し、規制装置８８によって回転が抑制される。
【００５４】
装置３０は再び下降され、その結果、ブレード４４を所望の切断位置１０６に配置すべく切断アセンブリ４６が正確に配置される。その後、切断ブレード４４は、側壁９８の内表面に対して切断位置にされる。切断ブレード４４をトレッドパーツ９４から第２の側壁９８の分離をもたらす切断位置にしたまま、ターンテーブル１４が再び回転させられる。
【００５５】
その後、タイヤ２６の側壁部分９６および９８は、別のタイヤの先に分離された側壁部分と一緒に、適切なスタッカ（図示しない）上に積み重ねられる。
ホルダ８０がターンテーブル１４から取り外され、また、任意選択で、装置３０がツールシャフト２２から取り外される。
【００５６】
その後、機械１０のターンテーブル１４には、タイヤトレッド圧縮装置１１０（図９および１０）が取り付けられる。タイヤトレッド圧縮装置１１０はキャリア１１２を備える。キャリア１１２はほぼ円形の平面プレートである。キャリア１１２は、以下に詳述するように、機械１０のターンテーブル１４に取り付けるために、キャリア１１２の作用的に下側の表面１１６上に取付装置１１４を担持している。キャリア１１２の対向する上側表面１１８は巻付機構１２０を備えている。例証された実施形態では、巻付機構１２０は一対の離間した垂直に突出するスピンドル１２２を備え、そのうちの一つが図面の図１１により詳しく示されている。例証されるように、各スピンドル１２２は、キャリア１１２の下側表面１１６上の取付板１２６へ挿入するためのねじ付き端部１２４を有している。
【００５７】
スピンドル１２２は、キャリア１１２の回転軸１２８に対してオフセットされる。
２つのスピンドル１２２の代わりに、多くのスピンドルを提供してもよい。代わりに、単一の二叉に分かれたスピンドルが装置１１０の巻付機構１２０を構成してもよい。
【００５８】
したがって、使用の際、タイヤトレッド圧縮装置１１０は、取付装置１１４を介してターンテーブル１４に取り付けられ、クランプ１６によってターンテーブル１４に固定される。圧縮されるタイヤ２６のタイヤトレッド９４は、トレッドパーツ９４の外側表面が他方のスピンドル１２２に対して支持されている状態で、第１の（一方の）スピンドル１２２に対して取り付けられる。機械１０のターンテーブル１４は矢印Ｃ（図１２）の方向に回転し、圧縮または巻き付き力Ｄは、さらに本発明の実施形態によるタイヤ巻付ツール１２４を使用して、タイヤトレッドパーツ９４に与えられる。
【００５９】
タイヤ巻付ツール１２４は、２つのリム１２８および１３０を形成するために位置１２６．１で湾曲されたレバーアーム１２６を含む。リム１２８および１３０は、鈍角を有する屈曲部１３２を画成する。フック１３４の形をした係合要素がリム１３０に担持され、フック１３４は屈曲部１３２に関してオフセットされると共に、屈曲部を形成するリム１３０の表面から延びる。
【００６０】
フック１３４は、タイヤのトレッドパーツ９４に係合するよう、それ自体イヌの後ろ脚のように湾曲している。
したがって、ターンテーブル１４、および従ってキャリア１１０が回転すると、タイヤ巻付ツール１２４はタイヤトレッド９４をフック１３４と係合させ、トレッドパーツ９４に巻き付き力Ｄを及ぼすことにより使用される。これによってトレッド９４は圧縮した形式に巻かれる。一旦トレッド９４が巻き付けられると、その圧縮した巻付形状でトレッドパーツ９４を保持するために、巻き付けられたトレッドパーツ９４に保持要素が取り付けられる。例えば、保持要素は、巻き付けトレッドパーツ９４を貫通するようねじ込まれた自己タッピンねじであってよい。しかしながら、その巻付形状でのトレッドパーツ９４を保持するために別の保持要素を等しく使用し得ることが理解される。例えば、ひも状部材（ストラップ）または帯状部材（バンド）が保持要素として使用可能であり、また、リベットや接着剤までものような別の形式のファスナーが保持要素として使用可能である。
【００６１】
キャリア１１０からコイルのトレッドパーツ９４をてこを使って外すのを支援するために、タイヤ巻付ツール１２４は、リム１３０の自由端から突出する第２のレバープレート１３６を備えている。リム１３０の外部表面に、つまりフック１３４が延びる表面とは反対に、支点１３８が配置される。したがって、レバープレート１３６は巻き付けられたトレッドパーツ９４の下に配置され、また、巻き付けられたトレッドパーツ９４は、支点１３８の周囲で上方でレバープレート１３６を旋回されることによりキャリア１１０から外れる。
【００６２】
タイヤ２６の側壁９６，９８の除去後、トレッドパーツ９４を巻き付けることにより圧縮することを参照しながら、タイヤ交換機１０の操作を説明してきたが、トレッドパーツ９４を巻き付ける前にまず切断することにより、トレッドパーツ９４を互いに固定されるいくつかのセグメントに切断することにより、さらには例えばトレッドパーツ９４を鋼製のバンドまたはその同等物を除去する前か後でペレット化することでトレッドパーツ９４をさらに細分することによっても、トレッドパーツ９４は他の方法で圧縮可能である。
【００６３】
さらに、上記実施形態は既存のタイヤ交換機の改変および操作に関して説明しているが、代わりに、特注のタイヤ処分機を使用することが可能である。図１６を参照すると、タイヤ処分機１４０が例証される。この機械１４０は、制御装置および駆動モータ（図示しない）を収容するハウジング１４２を有している。脚柱１４４はハウジング１４２の上に起立し、縦軸の周囲を回転可能であるよう水平方向にタイヤ１４６を支持する。タイヤ１４６は支持本体（図示しない）上で支援され、支持本体に対する回転が規制される。
【００６４】
タイヤ切断装置１４８は、本発明の実施形態によると、機械１４０の支持アーム１５０に取り付けられる。タイヤ切断装置１４８は、ウォームギア１５２を含む駆動系の作用下でタイヤ１４６に対して垂直に変位可能である。タイヤ切断装置１４６は一対の対向する切断ブレード１５４を含む。切断ブレード１５４は、タイヤ１４６のトレッドパーツ１５８から側壁１５６を切断する。
【００６５】
使用の際、切断装置１４８は、タイヤ１４６の上部側壁１５６と接触するよう下降させられる。タイヤ１４６が回転され、同時に、切断ブレード１５４がトレッドパーツ１５８から上部側壁１５６を分離する。その後、切断装置１４８がタイヤ１４６の下まで下降され、上部切断ブレード１５４が下部側壁１５６を切断しそれをトレッドパーツ１５８から分離するように上昇される。トレッドパーツ１５８は保持機構１６０によって保持される。その後、トレッドパーツ１５８は、図面に図９〜１１に関して上述したように、巻付装置を使用して圧縮することができる。代わりに、トレッドパーツ１５８を圧縮する別の形式を機械１４０により達成してもよい。タイヤ装置は、支持本体に永久に取り付けられてもよいし、または、タイヤ１４６からの側壁１５６の切断後に機械１４０の支持本体に取り付けられてもよい。
【００６６】
図１７は、ほぼ上記の図２〜７を参照して説明したような形式のタイヤ切断装置３０を備えているタイヤ処分機１７０のさらなる実施形態を示す。タイヤ切断装置３０は引き戻し可能なアーム１７２に取り付けられ、その結果、上述したようにタイヤの切断後、タイヤ切断装置３０は動作不能な位置へと矢印Ｅの方向へ情報に引き戻すことができ、このため機械１７０のターンテーブル１７４に取り付けられた図面９および１０を参照して上述した装置１１０を使用したタイヤのトレッドパーツの巻き付けが容易となる。
【００６７】
図１８は圧縮されたトレッドパーツ９４から側壁部分９６，９８が分離された加工済みタイヤ２６を示す。この実施形態では、トレッドパーツが巻き付けにより圧縮される前に切断されている。さらに、インタクトなタイヤと比べて、分離部品は実質的に減少した体積を占める。
【００６８】
一旦複数のタイヤ２６が上述したように加工されると、それらは処分される。それらは埋め立て地に処分してもよく、はるかに少ない空間を占めるだろうが、好ましいオプションでは、加工されたタイヤ部品は（側壁９６および９８やトレッドパーツ９４）は廃棄物管理会社によって収集され、タイヤ交換機１０および／またはタイヤ処分機１４０，１７０が位置する位置から離れた少なくとも１つの追加位置へ加工のために輸送される。
【００６９】
その追加位置では、分離された側壁９６および９８は、トレッドパーツ９４の構成材料とは側壁９６および９８の構成材料が異なるがために第１の方法で処理される。側壁９６および９８は、一つの方法では、該追加位置でトレッドパーツ９４と共に加工することも可能であり、トレッドパーツ９４は、その遠隔位置かさらなる別の位置で、さらに加工され得る。
【００７０】
側壁９６および９８ならびにトレッドパーツ９４の加工は、適切なリサイクル技術を使用して部品から鋼製の構成要素、プラスチック製の構成要素、ゴム、カーボンおよび炭化水素を抽出することを含む。リサイクルに起因する生成物はすべて、関連産業で使用することができる。例えば、生産された粉砕ゴムはラバーコーティング、アスファルト混合物、防音等のために使用可能である。カーボンはカーボンブラックや活性炭の生産に使用することができ、炭化水素は燃料産業に使用することができる。
【００７１】
従って、加工されたタイヤが未加工のタイヤと比較してはるかにコンパクトな体積を占めるようにタイヤを加工するために既存のタイヤ交換機上で使用できる装置を提供するこ
とは、本発明の特別な利点である。さらに、該装置は、タイヤ交換機が業務フローの改善を生じさせるタイヤ交換のみならずさらなる目的に使用できるという点でタイヤ交換施設の業務を拡張し、タイヤ交換機の多用途性を増強し、先行技術の廃タイヤ取り扱い技術よりも相当優れた業務および経済システムを提供する。
【００７２】
さらに、上記装置は、タイヤ交換機と連携してタイヤ交換施設で稼働可能な専用のタイヤ処分機に対しても使用可能であり、それゆえリサイクルおよび業務効率向上のための加工タイヤのスループットを向上させる。
【００７３】
さらに、タイヤの異なる部品への分離は、部品の構成材料を考慮すると部品がより効率的に処理されるため、部品のリサイクルを容易にする。
加工済みタイヤがリサイクルされなくても、それらが圧縮された形をしているということは、それらが埋め立て地でスペースをあまりとらないということを意味し、それゆえ埋め立て地に関連する問題を減少させる。
【００７４】
当業者には、広く記載された本発明の精神及び範囲から逸脱せずに、特定の実施形態に図示されるような多くの変更および／または改変をなし得ることが理解されようが、本願での実施形態はすべての点で例示であって限定ではないものとする。
【図面の簡単な説明】
【００７５】
【図１】従来のタイヤ交換機の略側面図。
【図２】本発明の実施形態によるタイヤ切断装置と、やはり本発明の実施形態によるタイヤ切断装置用の付属装置とを備えたタイヤ交換機の略側面図。
【図３】タイヤ切断装置の実施形態の三次元の図。
【図４】付属装置の平面図。
【図５】付属装置の底面図。
【図６】付属装置の一部の拡大部分側断面図。
【図７】使用中のタイヤ切断装置の略側断面図。
【図８】タイヤ切断装置の別の実施形態の三次元の図。
【図９】本発明のさらなる実施形態によるタイヤ処分装置のキャリアの平面図。
【図１０】タイヤ処分装置のキャリアの底面図。
【図１１】タイヤ処分装置のキャリアのスピンドルの側面図。
【図１２】使用中のタイヤ処分装置の三次元の図。
【図１３】タイヤ処分装置の、やはり本発明の実施形態によるタイヤ巻付ツールの平面図。
【図１４】巻付ツールの端面図。
【図１５】レバー部材の側面図。
【図１６】タイヤ処分機の実施形態の三次元の略図。
【図１７】タイヤ処分機の別の実施形態の三次元の略図。
【図１８】一対の側壁とトレッドパーツに分離された後のタイヤの三次元の略図。
【図１】
2009528181.tif 000003
【図２】
2009528181.tif 000004
【図３】
2009528181.tif 000005
【図４】
2009528181.tif 000006
【図５】
2009528181.tif 000007
【図６】
2009528181.tif 000008
【図７】
2009528181.tif 000009
【図８】
2009528181.tif 000010
【図９】
2009528181.tif 000011
【図１０】
2009528181.tif 000012
【図１１】
2009528181.tif 000013
【図１２】
2009528181.tif 000014
【図１３】
2009528181.tif 000015
【図１４】
2009528181.tif 000016
【図１５】
2009528181.tif 000017
【図１６】
2009528181.tif 000018
【図１７】
2009528181.tif 000019
【図１８】
2009528181.tif 000020
【国際調査報告】
2009528181.tif 000021
2009528181.tif 000022
2009528181.tif 000023
2009528181.tif 000024
2009528181.tif 000025